(57)【要約】【課題】壁面補強部材と盛土補強部材との連結作業をボルトやナットを使用せず、連結ロッド等の部材を別途取り付けることなく、極めて簡単かつ迅速に連結作業を完了することができ、盛土の沈下による盛土補強部材の下方移動に適度に合わせてスライドしたり、回動して連結部分に生じる応力を軽減することができる盛土補強装置を提供する。【解決手段】壁面に沿う壁面側フレーム３、および盛土側へ水平に延出された盛土側フレーム４により構成された壁面補強フレーム２と、壁面補強フレーム２と盛土補強部材６とを連結させる連結部材５とを有し、壁面側フレーム３は、壁面の上下方向に複数本並設された上下棒状部Ｂ１と、上下棒状部Ｂ１と交差して複数本並設された左右棒状部Ｂ２とにより構成し、連結部材５は、上下棒状部Ｂ１にスライド可能に掛合する水平Ｕ字部５ａと、水平Ｕ字部５ａの開放一端部に一体形成される垂直Ｕ字部５ｂとにより構成する。【選択図】　　　図１
2004019249.tif 000002
【特許請求の範囲】
【請求項１】
盛土の壁面を強固にするために前記壁面に沿うように形成された壁面側フレームと、この壁面側フレームの下端部から盛土側へ水平に延出された盛土側フレームとにより構成された壁面補強フレームを有するとともに、この壁面補強フレームと盛土側に敷設される盛土補強部材とを連結させるための連結部材を有する盛土補強装置であって、
前記壁面補強フレームの前記壁面側フレームは、前記壁面の上下方向に沿って複数本並設された上下棒状部と、これらの上下棒状部に交差するように複数本並設された左右棒状部とにより構成されており、
前記連結部材は、水平面において略Ｕ字状をなし前記上下棒状部にスライド可能に掛合する水平Ｕ字部と、この水平Ｕ字部の開放端部の一方に一体形成されて垂直面において略Ｕ字状をなす垂直Ｕ字部とにより構成されていることを特徴とする盛土補強装置。
【請求項２】
請求項１において、前記壁面補強フレームにおける上下棒状部と左右棒状部とは、盛土の補強として使用された場合に、前記上下棒状部が内側で前記左右棒状部が外側となるように重ねられて溶接されていることを特徴とする盛土補強装置。
【請求項３】
請求項１または請求項２において、前記上下棒状部のうち、前記連結部材がスライド可能に掛合する上下棒状部の径は、他の上下棒状部の径よりも大径に形成され、かつ、その径が約１０ｍｍ〜２０ｍｍの範囲に形成されていることを特徴とする盛土補強装置。
【請求項４】
請求項１から請求項３のいずれかにおいて、前記連結部材の垂直Ｕ字部に盛土内で水平に敷設される盛土補強部材を掛合させるとともに、水平Ｕ字部を前記上下棒状部の長手方向における略中央位置に掛合させることを特徴とする盛土補強装置。
【発明の詳細な説明】
【０００１】
【発明の属する技術分野】
本発明は、盛土の壁面を強固に成形するための盛土補強装置に係り、特に、柔構造体である壁面補強フレームと盛土補強部材とを連結部材によって簡単かつ迅速に連結するとともに、盛土および基礎地盤の沈下に前記盛土補強部材が追従して壁面のはらみ出しや連結部分の損傷を防止するのに好適な盛土補強装置に関する。
【０００２】
【従来の技術】
従来より、道路や宅地などに面する壁面を強固にする擁壁として補強土壁面が構築されている。このような補強土壁面を構築する工法は各種提案されており、コンクリートブロック状の壁面ブロックを上下左右に積み上げて剛結させて壁面を構築する工法と、格子状の鉄筋フレームを略Ｌ字状に折り曲げて形成された壁面補強フレームを上下左右に連結する、いわゆる柔構造体により壁面を構築する方向とがある。壁面ブロックを剛結する工法は、強固であるが柔軟性に乏しく盛土や基礎地盤の沈下に弱い。一方、柔構造体を構築する壁面補強フレームを用いた工法は、盛土や基礎地盤の沈下に対して壁面補強フレームの間で適度に追従して緩衝できるというメリットがある。
【０００３】
そこで、柔構造体を構築する一般的な補強土壁工法について説明すると、まず掘削、整地した後に墨だし、丁張り、杭打ち等の作業を行って壁面補強フレームの設置位置や法面勾配を明確にする。その後、所定位置に壁面補強フレームを左右に複数併設し、設置勾配を確認して互いに連結する。つづいて、それら壁面補強フレームの盛土側にシート状の盛土補強部材を締結して敷設し、固定ピンなどで固定する。その盛土補強部材上に切削土を撒き出して転圧しながら平坦に締め固め、約３０ｃｍの盛土を構築する。この高さの盛土をもう一段重ねて締め固めることにより、一層目の盛土が構築される。
【０００４】
つぎに、二層目の盛土を構築するために、前記壁面補強フレームの盛土側下端部に盛土補強部材を連結するとともに、一層目の盛土の上に敷設する。盛土補強部材は、盛土や基礎地盤の沈下、移動、流失等を防止する役割や盛土の表層部に壁面補強部材を固定する役割を担うものである。そして、盛土補強部材を展張して固定ピンで止める。その後、再び盛土補強部材の上に切削土を撒き出して転圧しながら平坦に締め固め、約３０ｃｍの盛土を積み重ねて二層目を構築する。三層目以降も同様の作業を繰り返して所定の高さの盛土壁面を完成させるようになっている。
【０００５】
【発明が解決しようとする課題】
前述した柔構造体を構築する一般的な補強土壁工法においては、盛土完成後の盛土の沈下等に対する柔軟性が高く安全性も確保されている。しかし、施工中に盛土を締め固める際、特に壁面際を転圧する作業を行う場合、壁面補強フレームに作用する土圧が非常に高くなり、外側へ押し出されるという問題がある。つまり、壁面が突出してしまう、いわゆるはらみだしの問題がある。これは安全性に問題はないとはいえ、外観上不安視されるし、美観が損なわれるとの指摘があり、好ましくない。
【０００６】
一方、壁面補強フレームと盛土補強部材とは連結部材によって連結されているが、補強土壁の構築作業時はもちろん構築後においても、盛土の転圧によって生じる圧力や盛土上層部の自重による圧力によって、水平に敷設されていた盛土補強部材が経時的に下方へ引っ張られる場合がある。そして、盛土補強部材が下方へ引っ張られると、壁面補強フレームと盛土補強部材との連結部分に引張応力や剪断応力が加わり、破損するおそれがある。
【０００７】
他方、特開２００１−１３１９７９号公報には、コンクリートブロック状の壁面ブロックを用いる補強土壁工法において、盛土の沈下や基礎地盤の沈下に対応するために、盛土補強部材が垂直方向にスライドできるようにした発明が記載されている。具体的には、壁面ブロックの裏側に連結ロッドを取り付けるとともに、この連結ロッドに盛土補強部材に取り付けた連結金具をスライド自在に連結する技術が記載されている。この発明によれば、盛土補強部材が下方へ変位した場合、この変位に伴って連結金具が連結ロッドに沿って下方へスライドするため、連結部に加わる負荷が軽減されて連結部分の損傷を防止できるとされる。
【０００８】
しかしながら、前記公報に記載された連結構造においては、連結金具を用いて連結する際に、ボルトやナット等を用いて締結しなければならず、連結作業に相当な手間と時間がかかってしまう。また、連結部材をスライド自在に係合させるために、壁面補強部材の背面に連結ロッドを別途取り付けなければならず、製造作業の増加やコストアップにつながるという問題がある。
【０００９】
本発明は、このような問題点を解決するためになされたものであって、壁面補強フレームと盛土補強部材との連結作業をボルトやナットを使用せず、また連結ロッド等の部材を別途取り付けることなく、極めて簡単かつ迅速に連結作業を完了することができるとともに、施工時や施工完成後におけるはらみ出しを防止し、盛土や基礎地盤の沈下により盛土補強部材が移動してもその動きに追従したり回動したりして連結部分に生じる応力を軽減することができる盛土補強装置を提供することを目的としている。
【００１０】
【課題を解決するための手段】
本発明に係る盛土補強装置の特徴は、壁面補強フレームの壁面側フレームが、盛土壁面の上下方向に沿って複数本並設された上下棒状部と、これらの上下棒状部に交差するように複数本並設された左右棒状部とにより構成されており、連結部材が、水平面において略Ｕ字状をなし前記上下棒状部にスライド可能に掛合する水平Ｕ字部と、この水平Ｕ字部の開放端部の一方に一体形成されて垂直面において略Ｕ字状をなす垂直Ｕ字部とにより構成されている点にある。ここで、連結部材の水平Ｕ字部および垂直Ｕ字部の形状は、略Ｕ字状となっており、この形状には開放端部がより内側に湾曲されている、いわゆるフック形状等も含まれるものと定義する。
【００１１】
そして、このような構成を採用したことにより、連結部材が水平Ｕ字部と垂直Ｕ字部とからなる変形Ｓ字状に形成されており、両端部において着脱自在に引っ掛けられるようになっているため、壁面補強フレームと盛土補強部材とを連結する場合、前記水平Ｕ字部を壁面補強フレームの上下棒状部に引っ掛け、前記垂直Ｕ字部を盛土補強部材の側端部に引っ掛けるだけで簡単に連結作業を完了することができる。また、盛土補強部材が上下に移動すると、それに追従して連結部材の水平Ｕ字部が壁面補強フレームの上下棒状部に沿ってスライドし、さらにＵ字形状に沿って回動することもできるため、壁面に生じる土圧を軽減してはらみ出しを防止し、かつ、各連結部分に加わる負荷や応力を軽減することができて連結部分の破損を防止する。
【００１２】
また、本発明において、壁面補強フレームにおける上下棒状部と左右棒状部とは、盛土の補強として使用された場合に、前記上下棒状部が内側で前記左右棒状部が外側となるように重ねられて溶接されていることが好ましい。これによれば、上下棒状部が受ける盛土側で発生する土圧を左右棒状部によって分散し、さらに、左右棒状部が外側に位置することで土圧を受けても上下棒状部との溶接部分が剥離されにくい。
【００１３】
さらに、本発明において、上下棒状部のうち、連結部材がスライド可能に掛合する上下棒状部の径は、他の上下棒状部の径よりも大径に形成され、かつ、その径が１０ｍｍ〜２０ｍｍの範囲に形成されていることが望ましい。これによれば、各上下棒状部のうち、特に連結部材が引っ掛けられて大きな応力を受ける上下棒状部について、その径が太くなるように形成することで強度が高められる。また、その上下棒状部の径を太くしすぎると連結部材の水平Ｕ字部も大きく形成されることになり、両者の接触面積が大きくなってしまう。これでは、垂直方向へのスライドに抵抗する摩擦抵抗が大きくなってしまうため、上下棒状部の外径を約１０ｍｍ〜２０ｍｍの範囲に収めることにより、前記連結部材の水平Ｕ字部と上下棒状部との摩擦抵抗が大きくなりすぎないように形成されている。
【００１４】
また、本発明は、連結部材の垂直Ｕ字部に盛土内で水平に敷設される盛土補強部材を掛合させるとともに、水平Ｕ字部を前記上下棒状部の長手方向における略中央位置に掛合させることを特徴とする。これによれば、連結部材を壁面補強フレームの上下方向における略中央位置に取り付けるため、盛土の内側から壁面補強フレームに加わる土圧に対し、盛土補強フレームの盛土側フレームにおける抵抗に加えて、中央位置でも抵抗することができることになり、土圧により壁面が突出してしまう、いわゆるはらみ出しを効果的に防ぐことができる。
【００１５】
【発明の実施の形態】
以下、本発明に係る盛土補強装置１の実施形態について図面を参照しつつ説明する。
【００１６】
図１は、本発明の実施形態である盛土補強装置１を用いて補強土壁を構築した状態を示す図であり、図２は、盛土補強装置１のある一層を正面側より見た正面図であり、図３は、盛土補強装置１を構成する連結部材５の斜視図である。
【００１７】
図１から図３に示すように、本実施形態における盛土補強装置１は、壁面補強フレーム２と、この壁面補強フレーム２に連結部材５を介して連結される盛土補強部材６とを備えている。前記壁面補強フレーム２は、盛土の壁面に沿って上下左右に積み上げられて、主に盛土壁面を強固に保護するようになっている。盛土補強部材６は、盛土内において所定間隔で層状に敷設されて、主に盛土の沈下や移動、流失を防止するとともに、壁面補強フレーム２が壁面から突出してしまう、いわゆるはらみ出しを防止するようになっている。
【００１８】
壁面補強フレーム２は、前記壁面に沿うように形成された壁面側フレーム３と、この壁面側フレーム３の下端部から盛土側へ水平に延出された盛土側フレーム４とにより構成されている。本実施形態では、壁面側フレーム３および盛土側フレーム４は、所定間隔で金属性の細棒を格子状に連結し、所定位置で設計勾配に合わせて折り曲げられることにより形成されている。壁面側フレーム３において、壁面の上下方向に沿って複数本並設された金属細棒を上下棒状部Ｂ１とし、これらの上下棒状部Ｂ１に直交するように複数本並設された金属細棒を左右棒状部Ｂ２とする。本実施形態では、前記上下棒状部Ｂ１が適当な位置で折り曲げられることで盛土側フレーム３を延出させて形成しており、それら各上下棒状部Ｂ１について左右棒状部Ｂ２が連結されている。なお、壁面補強フレーム２に用いられる金属細棒は軽量であって、適当な強度、弾性、防錆性、その他壁面材に適用するのに相応しい性質を有する金属素材により成形されている。
【００１９】
また、図３および図４に示すように、壁面補強フレーム２における上下棒状部Ｂ１と左右棒状部Ｂ２とは、盛土の壁面に配置された場合に、前記上下棒状部Ｂ１が内側で前記左右棒状部Ｂ２が外側となるように重ねられて溶接されている。これによれば、盛土側からの土圧を主に上下棒状部Ｂ１が受け、その土圧を左右棒状部Ｂ２によって分散するようになっている。このとき、左右棒状部Ｂ２が外側になるように溶接されているため、溶接部分が土圧を受ける上下棒状部Ｂ１の背面側となり、その溶接部分が土圧を受けても剥離しにくくなっている。
【００２０】
また、盛土側フレーム４の奥行き長さは、壁面補強フレーム２を盛土内に配置した場合に、転圧作業等により盛土側から壁面側へ生じる圧力に抵抗できる長さに形成されており、別途壁面補強フレームに支持部材を取り付けなくても安定的に自立できるようになっている。
【００２１】
さらに、各上下棒状部Ｂ１のうち、連結部材５がスライド可能に掛合する上下棒状部Ｂ１ａの径は、他の上下棒状部Ｂ１の径よりも大径に形成され、かつ、その径が約１０ｍｍ〜２０ｍｍの範囲に形成されている。これは、部材の軽量化とコスト低減を図りつつ、強度を確保するためであり、連結部材５が掛合する上下棒状部Ｂ１ａには、盛土補強部材６を介して他の部材よりも大きな力が作用することから、それに抵抗できる大きさに形成されている。ただし、あまりに太すぎると、連結部材５との接触面積が大きくなり摩擦抵抗が大きくなってしまうため、当該連結部材５の上下スライドを妨げる。そこで、本実施形態では、連結用の上下棒状部Ｂ１ａの径を１３ｍｍ、他の上下棒状部Ｂ１の径を６ｍｍに形成している。これにより、後述する盛土の沈下に伴って連結部材５を介して受ける引張応力に対しても十分な耐性を得ることができる。
【００２２】
なお、本実施形態においては、各上下棒状部Ｂ１および各左右棒状部Ｂ２の間隔を全て等間隔にすることで盛土の土圧に対する抵抗性能を均一化させるようになっている。そして、等間隔に配置された６ｍｍ径の上下棒状部Ｂ１に隣接させて連結用の上下棒状部Ｂ１ａを溶接している。
【００２３】
また、図１に示すように、壁面補強フレーム２の壁面側フレーム３には、土圧に対する抵抗性能を高めるとともに、自然の景観との調和を図るための植生マット１０が張り付けられている。
【００２４】
つぎに、図３および図４に示すように、連結部材５は、水平面において略Ｕ字状をなし上下棒状部Ｂ１にスライド可能に掛合する水平Ｕ字部５ａと、この水平Ｕ字部５ａの開放端部の一方に一体形成されて垂直面において略Ｕ字状をなす垂直Ｕ字部５ｂとにより構成されている。換言すれば、略Ｓ字状の金属部材の一端部を９０度回転させた形状をなしている。このような形状に形成することで、壁面補強フレーム２および盛土補強部材６との連結が極めて簡単になり、迅速に作業を完了できる。
【００２５】
一方、連結部材５の盛土側に掛合する盛土補強部材６は、強化繊維、高分子材料、合成樹脂等からなる素材を使用したネット状および格子状に形成されている。盛土補強部材６の連結部材５と掛合する側端部は、折り返されて袋状に形成されており、その袋状内側に長尺状の掛合用金属棒９が挿入されている。そして、その掛合用金属棒９に対して連結部材５の垂直Ｕ字部５ｂが掛合される。
【００２６】
つぎに、図１を参照しながら本実施形態の盛土補強装置１により補強土壁を構築する手順について説明する。
【００２７】
図１に示すように、本実施形態における盛土補強装置１により補強土壁を構築する場合、まず所望の現場において草木の伐採や掘削による切り株の除去、表土の撤去を行い、ローラーなどの加圧手段により転圧しながら平坦に整地する。この作業により仕上がり精度が向上したり工期の短縮化が図られる。
【００２８】
以上のような整地作業の後、盛土の各層Ｓ１〜Ｓ６の施工位置を確認する。この作業は各層ごとに水糸を張り、墨だし、丁張り、杭打ち等により設置位置や壁面勾配を明確にする。これにより作業効率が向上し、補強土壁面の仕上がりがより一層美しくなる。
【００２９】
つぎに、壁面補強フレーム２の勾配と補強土壁の設計勾配とが一致していることを確認しつつ基盤１１上に盛土補強装置１を載置する。そして、鋼などにより形成された固定ピン７により壁面補強フレーム２を基盤１１に固定する。ここで、図１に示すように固定ピン７の頭部はフック形状となっており、これを盛土側フレーム４の上下棒状部Ｂ１または左右棒状部Ｂ２に引っ掛けた状態で打ち込むことで壁面補強フレーム２が基盤１１に固定される。
【００３０】
なお、本実施形態においては壁面補強フレーム２の載置固定後、盛土側フレーム４の上面側に法面排水材８を敷設している。これにより特に湧水の多い地盤等では盛土含水比の増加や湧水による盛土側フレーム４の損傷を防止することができる。
【００３１】
つぎに、壁面側フレーム３の背面側に掘削土などの盛土材を撒き出し、敷均する。この際に用いられる盛土材の量は、締め固め後の各盛土層の仕上がり厚さを考慮する。通常、約３０ｃｍ高さの盛土層を形成し、これを繰り返し重ねるようになっている。また、撒き出しは壁面補強フレーム２側から盛土内部側へと行い、平坦になるよう敷均することで仕上がり精度や盛土の安定性が向上する。
【００３２】
以上のように撒き出し、敷均した盛土材を、ローラーなどの加圧手段により転圧しながら凹凸がないよう平坦かつ均一に締め固める。これにより、盛土の第一層Ｓ１が形成される。この締め固め作業は補強土壁の安定性や耐久性に大きな影響を及ぼすため、設計の際に用いた土質定数を満足するように締め固め規定を設定し、その規定の下に極めて入念に行うことが好ましい。
【００３３】
盛土層Ｓ１の形成後、連結部材５を壁面補強フレーム２の上下棒状部Ｂ１ａに掛合させる。具体的には図１および図４に示すように、上下棒状部Ｂ１ａの上下方向長さの略中央部近傍において交差する２本の左右棒状部Ｂ２の間に連結部材５の水平Ｕ字部５ａを引っ掛ける。そして、本実施形態においては、図４の（ａ）に示すように、連結部材５が上側の左右棒状部Ｂ２ａとほぼ接する状態で上下棒状部Ｂ１ａに係合する。これにより、図４の（ｂ）に示すように、盛土の沈下に追従する下方へのスライドが可能となる。
【００３４】
一方、連結部材５の垂直Ｕ字部５ｂには、盛土補強部材６を掛合する。この盛土補強部材６としては、十分な引張強度特性、クリープ特性、耐衝撃性、盛土材との摩擦特性、耐候性、耐薬品性、耐寒性、耐熱性および柔軟性を有するものを適宜選択することが好ましい。なお、本実施形態においては強化樹脂製の網状シートを採用している。
【００３５】
連結部材５と盛土補強部材６との連結は掛合用金属棒９を介して行われる。具体的には、盛土補強部材６の一端側縁部を掛合用金属棒９に巻き掛け、前記盛土補強部材６の網目を通して垂直Ｕ字部５ｂを前記掛合用金属棒９に引っ掛ける。これにより、簡易な手段により連結部材５と盛土補強部材６とを連結できる。つづいて、盛土補強部材６を盛土層Ｓ１上に敷設し、展張させた状態で固定ピン７を盛土層Ｓ１に打ち込み、固定する。
【００３６】
その後、盛土補強部材６の上に盛土材を撒き出し、敷均し、転圧することで第二層Ｓ２を形成する。そして、壁面補強フレーム２の上端部に新たな壁面補強フレーム２を配置し、図示しない接合部材により接合した後、前述した作業を繰り返して第三層Ｓ３〜第六層Ｓ６と順次盛土層を形成し、補強土壁面を構築する。
【００３７】
以上のように、本実施形態の盛土補強装置１を用いて構築する補強土壁面は、施工途中あるいは施工完了後に盛土や基礎地盤が沈下したとしても、その沈下に追従して連結部材５が上下方向にスライドし、歪みを吸収するため壁面が突出するようなはらみ出しが生じるのを軽減できる。また、連結部材５が上下棒状部Ｂ１ａに沿って上下にスライドしたり、Ｕ字形状に沿って回動するため、盛土や地盤の沈下により受ける引張応力や剪断応力を軽減し、連結部分が損傷してしまうのを防止できる。
【００３８】
さらに、連結部材５は水平Ｕ字部５ａと垂直Ｕ字部５ｂとにより構成されており、壁面補強フレーム２の上下棒状部Ｂ１ａとの掛合作業や盛土補強部材６との掛合作業を簡単かつ迅速に進めることができる。
【００３９】
さらにまた、盛土補強部材６が壁面側フレーム２の上下棒状部Ｂ１の長手方向における略中央部で掛合されているので、盛土側からの土圧に対して、壁面補強フレーム２の下端部における盛土側フレーム４とともに中央位置でも抵抗することができ、特に、壁面付近における転圧作業により生じる土圧に対して、壁面のはらみ出しを確実に抑制でき、安定した盛土を構築することができる。
【００４０】
なお、本実施形態における各構成は前述した実施形態に限定されるものではなく、適宜変更することができる。
【００４１】
例えば、本実施形態においてはコストを抑制しつつ強度を確保するために、壁面補強フレーム２はどの位置に配置する場合もすべて同じ規格のものを使用している。しかし、より下層に配置する壁面補強フレーム２には、壁面側フレーム３の高さが低いものを使用したり、上下棒状部Ｂ１および左右棒状部Ｂ２の径がより大きいものを採用するようにしてもよい。これにより、下層側においてより増大する盛土の土圧に対しても信頼性の高い耐荷重性を実現することができる。
【００４２】
また、本実施形態における連結部材５の水平Ｕ字部５ａおよび垂直Ｕ字部５ｂは、Ｕ字状の開放端部がストレートに開いているが、もちろん、より内側に湾曲されたフック状に形成することでより掛合が外れにくい形状としてもよい。さらに、バネにより付勢されて開放端部を閉じるストッパー部材を開放端部に取り付けてるようにしてより脱落しにくい構造にすることも可能である。
【００４３】
さらに、本実施形態では、盛土補強部材６を強化繊維、高分子材料、合成樹脂等からなる素材を使用したネット状および格子状のものを使用しているが、これに限らず、連結部材５の垂直Ｕ字部が掛合できるものであれば各種の汎用的な盛土補強部材６を用いることができる。
【００４４】
また、本実施形態における壁面補強フレームの上下棒状部および左右棒状部は、断面が円形状の丸棒を用いているが、これに限らず、適宜、断面矩形状の角形棒等を用いるようにしてもよい。
【００４５】
【発明の効果】
以上説明したように本発明によれば、壁面補強部材と盛土補強部材との連結作業をボルトやナットを使用せず、連結ロッド等の部材を別途取り付けることなく、極めて簡単かつ迅速に連結作業を完了することができるし、施工時や施工完成後におけるはらみ出しを防止し、盛土や基礎地盤の沈下により盛土補強部材が移動してもその動きに追従したり回動したりして連結部分に生じる引張応力や剪断応力を軽減することができる。
【図面の簡単な説明】
【図１】本発明に係る盛土補強装置を用いて補強土壁を構築した状態を示す図である。
【図２】本発明に係る盛土補強装置のある一層を正面側よりみた正面図である。
【図３】本発明に係る盛土補強装置を構成する連結部材の斜視図である。
【図４】本発明に係る盛土補強装置の連結部材が上端において係合した状態（ａ）、および下端において係合した状態（ｂ）を示す斜視図である。
【符号の説明】
１　　盛土補強装置
２　　壁面補強フレーム
３　　壁面側フレーム
４　　盛土側フレーム
５　　連結部材
６　　盛土補強部材
７　　固定ピン
８　　法面排水材
９　　掛合用金属棒
１０　　植生マット
１１　　基盤
Ｂ１　　上下棒状部
Ｂ１ａ　　連結部材と掛合する上下棒状部
Ｂ２　　左右棒状部
Ｂ２ａ　　上側左右棒状部
Ｂ２ｂ　　下側左右棒状部
【図１】
2004019249.tif 000003
【図２】
2004019249.tif 000004
【図３】
2004019249.tif 000005
【図４】
2004019249.tif 000006